(57)【特許請求の範囲】
【請求項１】
鉄筋コンクリート造建物の１階部分を、天井となる部分を含めて構築し、
前記１階部分の外壁の一部に側方開口部を設け、
前記１階部分の内部において、上階用のサイトプレキャストコンクリート部材を作製してから、
前記１階部分で作製された前記サイトプレキャストコンクリート部材を前記側方開口部より地上に引き出し、
前記サイトプレキャストコンクリート部材を吊り上げて上階部分に建て込んでいくことを特徴とする鉄筋コンクリート造建物の構築方法。
【請求項２】
鉄筋コンクリート造建物の地下階部分及び１階部分を、天井となる部分を含めて構築し、
前記１階部分の外壁の一部に側方開口部を設け、
前記１階部分のスラブの一部を構築せずに、そのスラブを構築しない地下階部分をピットとして、前記１階部分の内部及び前記地下階部分の前記ピットにおいて、上階用のサイトプレキャストコンクリート部材を作製してから、
前記１階部分で作製された前記サイトプレキャストコンクリート部材を前記側方開口部より地上に引き出し、
前記サイトプレキャストコンクリート部材を吊り上げて上階部分に建て込んでいくことを特徴とする鉄筋コンクリート造建物の構築方法。
【発明の詳細な説明】
【技術分野】
【０００１】
本発明は、鉄筋コンクリート造建物の構築方法に関する。
【背景技術】
【０００２】
鉄筋コンクリート（ＲＣ）造建物の建築現場において、プレキャストコンクリート（ＰＣａ）部材を作製して組み上げていくサイトＰＣａ工法がある（例えば特許文献１参照）。
このようなサイトＰＣａ工法は、工場製作のＰＣａ工法に比べ、部材運搬の合理化を図れることがメリットであり、搬入トラック数の削減や型枠材の転用等から環境にも優しい工法である。
【０００３】
なお、サイトＰＣａ工法ではないが、特許文献２において、ある階の柱の構築作業、当該階の直上の階の梁の構築作業、及び当該階の直上の階の床の構築作業を含む当該階の立上り構築作業を各階について行うことによりＲＣ造建物の構築する方法が提案されている。
この構築方法は、少なくとも一部の階を作業対象階として、作業対象階の各階の立上り構築作業のうち、柱の構築作業の少なくとも一部の作業、梁の構築作業の少なくとも一部の作業、及び床の構築作業の少なくとも一部の作業を先行作業とする。そして、各階の立上り構築作業のうち、先行作業以外の作業を後行作業とし、作業対象階のうちのある階の先行作業の少なくとも一部の作業と、当該階よりも下の少なくとも何れかの階の後行作業
の少なくとも一部の作業と、を並行して行うものである。
【先行技術文献】
【特許文献】
【０００４】
【特許文献１】特開２００３−３３１００９号公報
【特許文献２】特開２００９−１０２９１４号公報
【発明の概要】
【発明が解決しようとする課題】
【０００５】
しかし、サイトＰＣａ部材は、広い敷地が必要であるため、建物の施工現場では採用が限られている。
【０００６】
本発明の課題は、ＲＣ造建物の構築において、狭い敷地でもサイトＰＣａ工法の採用を可能にすることである。
【課題を解決するための手段】
【０００７】
以上の課題を解決するため、請求項１に記載の発明は、
鉄筋コンクリート造建物の１階部分を、天井となる部分を含めて構築し、
前記１階部分の外壁の一部に側方開口部を設け、
前記１階部分の内部において、上階用のサイトプレキャストコンクリート部材を作製してから、
前記１階部分で作製された前記サイトプレキャストコンクリート部材を前記側方開口部より地上に引き出し、
前記サイトプレキャストコンクリート部材を吊り上げて上階部分に建て込んでいくことを特徴とする。
【０００８】
請求項２に記載の発明は、
鉄筋コンクリート造建物の地下階部分及び１階部分を、天井となる部分を含めて構築し、
前記１階部分の外壁の一部に側方開口部を設け、
前記１階部分のスラブの一部を構築せずに、そのスラブを構築しない地下階部分をピットとして、前記１階部分の内部及び前記地下階部分の前記ピットにおいて、上階用のサイトプレキャストコンクリート部材を作製してから、
前記１階部分で作製された前記サイトプレキャストコンクリート部材を前記側方開口部より地上に引き出し、
前記サイトプレキャストコンクリート部材を吊り上げて上階部分に建て込んでいくことを特徴とする。
【発明の効果】
【００１０】
本発明によれば、ＲＣ造建物の構築において、狭い敷地でもサイトＰＣａ工法を採用することができる。
【図面の簡単な説明】
【００１１】
【図１】本発明の構築方法を適用した一実施形態のＲＣ造建物の構成を示す概略斜視図である。
【発明を実施するための形態】
【００１２】
以下、図を参照して本発明を実施するための形態を詳細に説明する。
（実施形態）
図１は本発明の構築方法を適用した一実施形態のＲＣ造建物の概略構成を示すもので、１は１階部分、２は２階部分、３は３階部分、１１はレール、１２は台車、１３・１４・１５・１６・１７はサイトＰＣａ部材である。
【００１３】
図示のように、１階部分１及び２階部分２をＲＣ造構造体で構築した後、その１階部分１を上階のサイトＰＣａ部材１３・１４・１５・１６・１７の製造工場として用いる。
すなわち、１階部分１のサイトＰＣａ製造工場において、鋼製型枠内に鉄筋籠を入れてコンクリートを打設して上階のサイトＰＣａ部材である柱部材１３、床部材１４、壁部材１５、梁部材１６、及び雑壁１７を作製する。
【００１４】
そして、その１階部分１の製造工場で作製された上階のサイトＰＣａ部材である柱部材１３、床部材１４、壁部材１５、梁部材１６、及び雑壁１７を地上に引き出してから、図示しないクレーンを用いて吊り上げて、３階部分３からの上階部分に建て込んでいく。
【００１５】
具体的には、１階部分１には、大きな側方開口部１ａが形成されていて、１階スラブ上に一対のレール１１が敷設されている。レール１１は、１階部分１の外部の地上部分まで敷設されている。このレール１１上に台車１２が載せられている。
この台車１２には、１階部分１の製造工場で作製された上階のサイトＰＣａ部材である柱部材１３、床部材１４、壁部材１５、梁部材１６、及び雑壁１７が載せられて、台車１２は、人力やモータ等の駆動力により押し出したり、ウインチで牽引したりして、図示のように、１階部分１の外部の地上部分まで引き出される。
【００１６】
このように、１階部分１及び２階部分２のＲＣ造構造体を構築した後、その１階部分１をサイトＰＣａ部材１３・１４・１５・１６・１７の製造工場として、上階のＰＣａ部材である柱部材１３、床部材１４、壁部材１５、梁部材１６、及び雑壁１７を作製する。
もしくは、１階の高さが不足する場合は、１階部分１のスラブの一部を構築せず、地下階をピットとしてＰＣａ部材１３・１４・１５・１６・１７を作製する。
これにより、狭い敷地でもサイトＰＣａ工法を採用できる。
【００１７】
なお、図示例では、中高層マンションの建設であり、１階部分１の外壁施工は、最上階まで建ててから後に行う。
【００１８】
以上、実施形態のＲＣ造建物の構築方法によれば、１階部分１及び２階部分２を構築し、その１階部分１において、上階用のサイトＰＣａ部材１３・１４・１５・１６・１７を作製してから、そのサイトＰＣａ部材である柱部材１３、床部材１４、壁部材１５、梁部材１６、及び雑壁１７を組み上げて３階部分３から上階部分を構築するため、狭い敷地でもサイトＰＣａ工法を採用することができる。
【００１９】
そして、１階部分１がサイトＰＣａ製造工場であり、天井があるため、天候に左右されず上階用のサイトＰＣａ部材１３・１４・１５・１６・１７を常時作製できる。
【００２０】
また、図示例では、中高層マンションの建設で、住居は同じ形で構築できるため、鋼製型枠を繰り返して使用できる。
【００２１】
なお、図示例では、中高層マンションの建設としたが、中高層のオフィスビルや商業ビルの建設であってもよい。
【００２２】
（変形例）
以上の実施形態においては、ＲＣ造建物の１階部分及び２階部分を構築し、その１階部分の内部において、上階用のサイトＰＣａ部材を作製してから、そのサイトＰＣａ部材を組み上げて３階から上階部分を構築したが、本発明はこれに限定されるものではなく、ＲＣ造建物の１階を構築しておき、その１階部分で作製したサイトＰＣａ部材を組み上げて２階から上階部分を構築してもよい。
【００２３】
また、実施形態では、１階部分の外壁の一部に側方開口部を設け、その１階部分で作製されたサイトＰＣａ部材を台車に載せてレール上を移動して側方開口部より地上に引き出してから、そのサイトＰＣａ部材を吊り上げて上階部分に建て込んでいくようにしたが、１階部分からサイトＰＣａ部材を適宜のロボットを用いて側方開口部より地上に引き出すようにしてもよい。
さらに、その引き出されたサイトＰＣａ部材を工事用エレベータで上昇させて上階部分に建て込んでいってもよい。
【００２４】
また、１階天井（２階床）に開口部を設けて、その開口部からサイトＰＣａ部材を吊り上げて上階部分に建て込んでいくようにすることも可能である。
さらに、その他、具体的な細部構造や手法等についても適宜に変更可能であることは勿論である。
【符号の説明】
【００２５】
１  １階部分
１ａ  側方開口部
２  ２階部分
３  ３階部分
１１  レール
１２  台車
１３  柱部材（サイトＰＣａ部材）
１４  床部材（サイトＰＣａ部材）
１５  壁部材（サイトＰＣａ部材）
１６  梁部材（サイトＰＣａ部材）
１７  雑壁（サイトＰＣａ部材）
【図１】
0006725271.tif 000002